(57)【要約】本発明は、マルチキャリアシステムにおいてＥ−ＭＢＳ（Ｅｎｈａｎｃｅｄ−Ｍｕｌｔｉｃａｓｔ  ａｎｄ  Ｂｒｏａｄｃａｓｔ  Ｓｅｒｖｉｃｅ）サービスを受信するための端末の動作方法であって、基地局とＥ−ＭＢＳサービス接続設定を行う段階と、キャリアスイッチング動作開始時間が割り当てられるように前記端末が前記基地局に要求することを示す報告モード情報を含む第１メッセージを前記基地局に送信する段階と、前記端末が要求した前記キャリアスイッチング動作開始時間情報を含む第２メッセージを前記基地局から受信する段階と、前記受信したキャリアスイッチング動作開始時間情報に基づいてキャリアスイッチング動作を開始する段階とを含む。【選択図】図３
2013515428.tif 000002
【特許請求の範囲】
【請求項１】
マルチキャリアシステムにおいてＥ−ＭＢＳ（Ｅｎｈａｎｃｅｄ−Ｍｕｌｔｉｃａｓｔ  ａｎｄ  Ｂｒｏａｄｃａｓｔ  Ｓｅｒｖｉｃｅ）サービスを受信するための端末の動作方法であって、
基地局とＥ−ＭＢＳサービス接続設定を行う段階と、
キャリアスイッチング動作開始時間が割り当てられるように前記端末が前記基地局に要求することを示す報告モード情報を含む第１メッセージを前記基地局に送信する段階と、
前記端末が要求した前記キャリアスイッチング動作開始時間情報を含む第２メッセージを前記基地局から受信する段階と、
前記受信したキャリアスイッチング動作開始時間情報に基づいてキャリアスイッチング動作を開始する段階と
を含むことを特徴とする方法。
【請求項２】
前記キャリアスイッチング動作は、前記端末が加入しているＥ−ＭＢＳサービス区間ではＥ−ＭＢＳデータを受信するために周期的に副キャリアに切り替え、加入していないＥ−ＭＢＳサービス区間ではユニキャストサービスを受信するために主キャリアに切り替えることを特徴とする請求項１に記載の方法。
【請求項３】
前記キャリアスイッチング動作開始時間情報は、前記端末がキャリアスイッチング動作を開始するスーパーフレーム番号の４ＬＳＢｓ（Ｌｅａｓｔ  Ｓｉｇｎｉｆｉｃａｎｔ  Ｂｉｔｓ）であることを特徴とする請求項１に記載の方法。
【請求項４】
前記端末が前記キャリアスイッチング動作を終了することを示す報告モード情報を含む第１メッセージを前記基地局に送信する段階と、
前記基地局から前記第１メッセージに対する応答として第２メッセージを受信する段階と、
前記端末が前記第２メッセージを受信すると、前記キャリアスイッチング動作を中断する段階と
をさらに含むことを特徴とする請求項１に記載の方法。
【請求項５】
前記端末が前記キャリアスイッチング動作を中断してから、キャリアスイッチング動作を再開するまで、前記端末は前記主キャリアに留まることを特徴とする請求項４に記載の方法。
【請求項６】
前記端末がキャリアスイッチング動作を開始する前は、前記基地局から前記主キャリアでユニキャストサービスを受信する段階をさらに含むことを特徴とする請求項１に記載の方法。
【請求項７】
前記基地局とＥ−ＭＢＳサービス接続設定を行う段階は、
前記Ｅ−ＭＢＳサービス接続設定を要求するためのＤＳＡ（動的サービス追加）要求メッセージを前記基地局に送信する段階と、
前記ＤＳＡ要求メッセージに対する応答としてＤＳＡ応答メッセージを前記基地局から受信する段階と
を含むことを特徴とする請求項１に記載の方法。
【請求項８】
前記基地局とＥ−ＭＢＳサービス接続設定を行う段階は、
前記Ｅ−ＭＢＳサービス接続設定を要求するための非要求ＤＳＡ（動的サービス追加）要求メッセージを受信する段階と、
前記非要求ＤＳＡ要求メッセージに対する応答としてＤＳＡ応答メッセージを前記基地局に送信する段階と
を含むことを特徴とする請求項１に記載の方法。
【請求項９】
前記第１メッセージは、Ｅ−ＭＢＳ報告メッセージ、アップリンク制御チャネル又はＭＡＣ拡張ヘッダのいずれか１つであることを特徴とする請求項１又は４に記載の方法。
【請求項１０】
前記第２メッセージは、Ｅ−ＭＢＳ応答メッセージであることを特徴とする請求項１又は４に記載の方法。
【請求項１１】
マルチキャリアシステムにおいてＥ−ＭＢＳサービスを受信するための端末であって、
前記端末が基地局と接続設定を行って前記基地局からＥ−ＭＢＳサービスを受信する際に、キャリアスイッチング動作開始時間が割り当てられるように前記端末が前記基地局に要求することを示す報告モード情報を含む第１メッセージを前記基地局に送信する送信部と、
前記端末が要求した前記キャリアスイッチング動作開始時間情報を含む第２メッセージを前記基地局から受信する受信部と、
前記受信したキャリアスイッチング動作開始時間情報に基づいてキャリアスイッチング動作を開始するように制御する制御部と
を含むことを特徴とする端末。
【請求項１２】
前記キャリアスイッチング動作は、前記端末が加入しているＥ−ＭＢＳサービス区間ではＥ−ＭＢＳデータを受信するために周期的に副キャリアに切り替え、加入していないＥ−ＭＢＳサービス区間ではユニキャストサービスを受信するために主キャリアに切り替えることを特徴とする請求項１１に記載の端末。
【請求項１３】
前記キャリアスイッチング動作開始時間情報は、前記端末がキャリアスイッチング動作を開始するスーパーフレーム番号の４ＬＳＢｓであることを特徴とする請求項１１に記載の端末。
【請求項１４】
前記制御部は、前記端末が前記Ｅ−ＭＢＳサービスを終了する際に、前記端末が前記キャリアスイッチング動作を終了することを示す報告モード情報を含む第１メッセージを前記基地局に送信するように前記送信部を制御し、前記第１メッセージに対する応答として第２メッセージを前記基地局から受信するように前記受信部を制御し、前記端末が前記第２メッセージを受信すると、前記キャリアスイッチング動作を中断するように制御することを特徴とする請求項１１に記載の端末。
【請求項１５】
前記制御部は、前記端末が前記キャリアスイッチング動作を中断してから、前記キャリアスイッチング動作を再開するまで、前記主キャリアで前記基地局からユニキャストサービスを受信するように前記受信部を制御することを特徴とする請求項１４に記載の端末。
【請求項１６】
前記制御部は、前記端末がキャリアスイッチング動作を開始する前は、前記主キャリアで前記基地局からユニキャストサービスを受信するように前記受信部を制御することを特徴とする請求項１１に記載の端末。
【請求項１７】
前記第１メッセージは、Ｅ−ＭＢＳ報告メッセージ、アップリンク制御チャネル又はＭＡＣ拡張ヘッダのいずれか１つであることを特徴とする請求項１１又は１４に記載の端末。
【請求項１８】
前記第２メッセージは、Ｅ−ＭＢＳ応答メッセージであることを特徴とする請求項１１又は１４に記載の端末。
【発明の詳細な説明】
【技術分野】
【０００１】
本明細書は、マルチキャリアシステムにおいてＥ−ＭＢＳ（Ｅｎｈａｎｃｅｄ  Ｍｕｌｔｉｃａｓｔ  ａｎｄ  Ｂｒｏａｄｃａｓｔ  Ｓｅｒｖｉｃｅ）サービスをサポートする方法及び装置に関し、特に、Ｅ−ＭＢＳサービスを受信するためにキャリアスイッチング動作（Ｃａｒｒｉｅｒ  Ｓｗｉｔｃｈｉｎｇ  Ｏｐｅｒａｔｉｏｎ）を行う方法及び装置に関する。
【背景技術】
【０００２】
一般のマルチキャリアシステム
以下に説明するマルチキャリアシステムは、少なくとも１つの個別キャリアをまとめて使用する場合を示す。図１の（ａ）及び（ｂ）はマルチバンド無線周波数（ＲＦ：Ｒａｄｉｏ  Ｆｒｅｑｕｅｎｃｙ）ベースの信号送受信方法を示す図である。
【０００３】
マルチバンド（又は、マルチキャリア）を効率的に使用するために複数のキャリア（例えば、複数の周波数割り当て帯域）を１つのＭＡＣ（Ｍｅｄｉｕｍ  Ａｃｃｅｓｓ  Ｃｏｎｔｒｏｌ）エンティティが管理する技術が提案されている。
【０００４】
図１に示すように、送信端及び受信端における１つのＭＡＣ層は、マルチキャリアを効率的に使用するために複数のキャリアを管理することができる。ここで、マルチキャリアを効果的に送受信するために、送信端及び受信端はどちらもマルチキャリアを送受信できると仮定する。１つのＭＡＣ層に管理される周波数キャリアは互いに隣接する必要がないので、リソース管理の面では柔軟である。
【０００５】
すなわち、隣接キャリアのアグリゲーション（Ｃｏｎｔｉｇｕｏｕｓ  Ａｇｇｒｅｇａｔｉｏｎ）でもよく、非隣接キャリアのアグリゲーション（Ｎｏｎ−ｃｏｎｔｉｇｕｏｕｓ  Ａｇｇｒｅｇａｔｉｏｎ）でもよい。
【０００６】
図１の（ａ）及び（ｂ）において、ＰＨＹ０、ＰＨＹ１、…、ＰＨＹｎ−２、ＰＨＹｎ−１は本技術によるマルチバンドを示し、それぞれの帯域は予め定められた周波数ポリシーに従って特定のサービスのために割り当てられた周波数帯域の大きさを有する。
【０００７】
例えば、ＰＨＹ０（ＲＦ  ｃａｒｒｉｅｒ  ０）は一般のＦＭラジオ放送のために割り当てられた周波数帯域を有し、ＰＨＹ１（ＲＦ  ｃａｒｒｉｅｒ  １）は携帯電話通信のために割り当てられた周波数帯域を有する。
【０００８】
このように、それぞれの周波数帯域はそれぞれの周波数帯域特性に応じて周波数帯域の大きさが異なるが、以下の説明では説明の便宜上、各周波数割り当て帯域はＡ［ＭＨｚ］の大きさを有すると仮定する。
【０００９】
また、それぞれの周波数割り当て帯域はベースバンド信号を各周波数帯域で利用するためのキャリア周波数に代表されるので、以下では、各周波数割り当て帯域を「キャリア周波数帯域」、又は不明瞭にならなければ各キャリア周波数帯域を代表して単に「キャリア」という。
【００１０】
また、近年、３ＧＰＰ  ＬＴＥ−Ａにおいては、マルチキャリア方式で利用されるサブキャリアと区分するために、前記キャリアを「コンポーネントキャリア」ともいう。
【００１１】
このような面から、前記「マルチバンド」方式を「マルチキャリア」方式又は「キャリアアグリゲーション」方式ともいう。
【００１２】
図１の（ａ）のようにマルチバンドで信号を送信し、図１の（ｂ）のようにマルチバンドで信号を受信するために、送信端及び受信端はどちらもマルチバンドで信号を送受信するためのＲＦモジュールを含むことが求められる。また、図１において、「ＭＡＣ」は、ダウンリンク（ＤＬ）であるかアップリンク（ＵＬ）であるかにかかわらず、基地局によりその構成方法が決定される。
【００１３】
つまり、本技術は、１つのＭＡＣエンティティ（以下、不明瞭にならなければ単に「ＭＡＣ」という）が複数の無線周波数キャリア（ＲＦ  ｃａｒｒｉｅｒ：Ｒａｄｉｏ  Ｆｒｅｑｕｅｎｃｙ）を管理／運営することにより信号を送受信する技術である。また、１つのＭＡＣで管理されるＲＦキャリアは互いに隣接する必要がない。よって、本技術においては、リソース管理の面で柔軟であるという利点がある。
【００１４】
無線通信システムの１つであるＩＥＥＥ  ８０２．１６ｍシステムにおいては、基地局の観点からキャリアタイプが大きく２つに分けられる。例えば、キャリアタイプは、完全構成キャリアタイプ（ＦＣＣＴ：Ｆｕｌｌｙ  Ｃｏｎｆｉｇｕｒｅｄ  Ｃａｒｒｉｅｒ  Ｔｙｐｅ）と部分構成キャリアタイプ（ＰＣＣＴ：Ｐａｒｔｉａｌｌｙ  Ｃｏｎｆｉｇｕｒｅｄ  Ｃａｒｒｉｅｒ  Ｔｙｐｅ）に分けられる。
【００１５】
完全構成キャリアタイプとは、全ての制御情報及びデータを送受信できるキャリアを意味し、部分構成キャリアタイプとは、ＤＬデータのみ送受信できるキャリアを意味する。ここで、部分構成キャリアはＤＬデータを主に提供するＥ−ＭＢＳなどのサービスのために使用される。
【００１６】
移動端末の観点から、割り当てられるキャリアは２つのキャリアタイプに分けられる。例えば、キャリアタイプは主キャリア（Ｐｒｉｍａｒｙ  ｃａｒｒｉｅｒ）と副キャリア（Ｓｅｃｏｎｄａｒｙ  ｃａｒｒｉｅｒ）に分けられる。ここで、移動端末は１つの主キャリア及び複数の副キャリアを基地局から割り当てられる。
【００１７】
主キャリアは完全構成キャリアから選択され、移動端末のほとんどの主要制御情報が主キャリアで送信される。副キャリアは完全構成キャリア又は部分構成キャリアから選択され、移動端末の要求や基地局の指示により追加で割り当てられる。
【００１８】
移動端末は、主キャリアで全ての制御情報のみならず副キャリアに関する制御情報までも送受信することができ、副キャリアで基地局とデータを送受信することができる。ここで、特定の移動端末に割り当てられた完全構成キャリアである副キャリアが他の移動端末の主キャリアに設定されてもよい。
【００１９】
マルチキャリアスイッチング（Ｍｕｌｔｉｃａｒｒｉｅｒ  Ｓｗｉｔｃｈｉｎｇ）
マルチキャリアスイッチングとは、端末が主キャリアから部分構成された又は完全構成された副キャリアに物理層接続を切り替えるマルチキャリアモードをいう。ここで、端末のキャリアスイッチングは、副キャリアでＥ−ＭＢＳサービスを受信するために、基地局の指示により行われる。
【００２０】
端末は特定時間の間は副キャリアに接続され、その後主キャリアに戻る。端末が副キャリアに接続されている特定時間の間、端末は主キャリアで送信又は受信を維持する必要がない。
【００２１】
基本マルチキャリアモード（Ｂａｓｉｃ  ＭＣ  Ｍｏｄｅ）
基本マルチキャリアモードとは、端末がただ１つのキャリアで動作するモードをいう。しかし、端末は、マルチキャリア動作に関するキャリアに対する最適化されたスキャンだけでなく、主キャリアのスイッチング過程をもサポートする。
【００２２】
Ｅ−ＭＢＳサービスのためのキャリアスイッチング動作（Ｃａｒｒｉｅｒ  Ｓｗｉｔｃｈｉｎｇ  Ｏｐｅｒａｔｉｏｎ  ｆｏｒ  Ｅ−ＭＢＳ  Ｓｅｒｖｉｃｅ）
Ｅ−ＭＢＳサービスは、端末の主キャリアではない特定キャリア（例えば、副キャリア（Ｅ−ＭＢＳキャリア））により行われる。基地局に接続された状態において、ただ１つの送受信機を有するＥ−ＭＢＳ端末（すなわち、キャリアスイッチングモードで動作する端末）は、Ｅ−ＭＢＳデータバースト、Ｅ−ＭＢＳ構成メッセージ及びＥ−ＭＢＳ  ＭＡＰを受信するために主キャリアから他のキャリアに切り替え、基地局からユニキャストサービスを受信するために前記他のキャリアから前記主キャリアに切り替える。
【００２３】
Ｅ−ＭＢＳ端末は、ＤＳＡ（Ｄｙｎａｍｉｃ  Ｓｅｒｖｉｃｅ  Ａｄｄｉｔｉｏｎ）過程の間、基地局から前記端末に割り当てられた端末のＥ−ＭＢＳ加入情報に基づいてキャリアスイッチング動作を行う。前記Ｅ−ＭＢＳ加入情報は、例えばＭＳＴＩＤｓ及びＦＩＤｓである。
【００２４】
実際のＥ−ＭＢＳ環境においては、基本（デフォルト）Ｅ−ＭＢＳチャネルはＥ−ＭＢＳサービスに加入している全ての端末に割り当てられ、基本Ｅ−ＭＢＳチャネルの数は特別Ｅ−ＭＢＳチャネル（プレミアムチャネル）の数よりはるかに多い。
【００２５】
・全てのＥ−ＭＢＳ端末は、基本的に無料チャネルで全てのデフォルトコンテンツに加入する。
【００２６】
・さらに、一部のプレミアムユーザはプレミアムコンテンツに加入することができる。
【００２７】
すなわち、プレミアムコンテンツに加入しているＥ−ＭＢＳ端末は、デフォルトコンテンツにのみ加入している端末よりも長くＥ−ＭＢＳキャリアに留まることになる。
【００２８】
図２は端末の加入情報に基づいて行われるキャリアスイッチング動作を示すフローチャートである。
【００２９】
図２に示すように、端末１はデフォルトコンテンツにのみ加入しており、端末２はデフォルトコンテンツとプレミアムコンテンツ２に加入していると仮定する。
【００３０】
また、Ｅ−ＭＢＳデータバースト１及び３はデフォルトコンテンツに関するデータであり、Ｅ−ＭＢＳデータバースト２はプレミアムコンテンツ１に関するデータであり、Ｅ−ＭＢＳデータバースト４及び５はプレミアムコンテンツ２に関するデータであると仮定する。
【００３１】
図２を参照すると、端末１は基地局がＥ−ＭＢＳデータバースト２、４、５を送信する間主キャリアに留まることができ（Ｓ２０１）、端末２は基地局がＥ−ＭＢＳデータバースト２を送信する間のみ主キャリアに留まることができる（Ｓ２０２）。すなわち、基地局は最も低いユニキャストスケジューリング効率を有するプレミアムコンテンツに加入している端末にユニキャストリソースを割り当てる。
【００３２】
無料Ｅ−ＭＢＳサービスの間は、端末は上位層で接続（ｊｏｉｎｉｎｇ）／解除（ｌｅａｖｉｎｇ）過程を行う必要がない。すなわち、この場合、Ｅ−ＭＢＳ端末がＥ−ＭＢＳサービス受信を開始又は終了する際、ＤＳＡ／ＤＳＤ（Ｄｙｎａｍｉｃ  Ｓｅｒｖｉｃｅ  Ｄｅｌｅｔｉｏｎ）過程を行わない。しかし、キャリアスイッチングモードにおいて、基地局は、効率的なユニキャストスケジューリングのために、端末が現在Ｅ−ＭＢＳサービスを受信しているか否かを知らなければならない。もし、端末が現在Ｅ−ＭＢＳサービスを受信していなければ、基地局はいつでも主キャリアで端末にユニキャストサービスを提供することができる。
【００３３】
しかし、従来のキャリアスイッチング動作においては、端末がＥ−ＭＢＳサービスに加入しており、基地局との接続モードにある場合、端末はＥ−ＭＢＳサービスの受信に関係なく主キャリアと副キャリア（Ｅ−ＭＢＳキャリア）のキャリアスイッチング動作を行う。
【００３４】
ここで、Ｅ−ＭＢＳサービスに加入している端末が接続モードにある場合、Ｅ−ＭＢＳサービスを受信しないときもキャリアスイッチングモードで動作すると、基地局が端末にユニキャストスケジューリングを効率的に提供することができず（特に、ＶｏＩＰを使用する場合はＱｏＳを保証しない）、端末は不要なキャリアスイッチング動作を行わなければならないので、電力が浪費されるという問題が生じる。
【発明の概要】
【発明が解決しようとする課題】
【００３５】
本発明は上記問題を解決するためになされたものであり、キャリアスイッチングモードにある端末がＥ−ＭＢＳサービスを受信するか否かに応じてキャリアスイッチングモードを行う方法及び装置を提供することを目的とする。
【課題を解決するための手段】
【００３６】
上記目的を達成するために、本発明は、マルチキャリアシステムにおいてＥ−ＭＢＳサービスを受信するための端末の動作方法であって、基地局とＥ−ＭＢＳサービス接続設定を行う段階と、前記基地局からＥ−ＭＢＳサービスを受信する際に、キャリアスイッチング動作開始時間が割り当てられるように前記端末が前記基地局に要求することを示す報告モード情報を含む第１メッセージを前記基地局に送信する段階と、前記端末が要求した前記キャリアスイッチング動作開始時間情報を含む第２メッセージを前記基地局から受信する段階と、前記受信したキャリアスイッチング動作開始時間情報に基づいてキャリアスイッチング動作を開始する段階とを含むことを特徴とする方法を提供する。
【００３７】
前記キャリアスイッチング動作は、前記端末が加入しているＥ−ＭＢＳサービス区間ではＥ−ＭＢＳデータを受信するために周期的に副キャリアに切り替え、加入していないＥ−ＭＢＳサービス区間ではユニキャストサービスを受信するために主キャリアに切り替える。
【００３８】
前記キャリアスイッチング動作開始時間情報は、前記端末がキャリアスイッチング動作を開始するスーパーフレーム番号の４ＬＳＢｓ（Ｌｅａｓｔ  Ｓｉｇｎｉｆｉｃａｎｔ  Ｂｉｔｓ）である。
【００３９】
前記方法は、前記端末がＥ−ＭＢＳサービスを終了する際に、前記端末が前記キャリアスイッチング動作を終了することを示す報告モード情報を含む第１メッセージを前記基地局に送信する段階と、前記基地局から前記第１メッセージに対する応答として第２メッセージを受信する段階と、前記端末が前記第２メッセージを受信すると、前記キャリアスイッチング動作を中断する段階とをさらに含んでもよい。
【００４０】
前記端末が前記キャリアスイッチング動作を中断してから、キャリアスイッチング動作を再開するまで、前記端末は前記主キャリアに留まる。
【００４１】
前記基地局とＥ−ＭＢＳサービス接続設定を行う段階は、前記Ｅ−ＭＢＳサービス接続設定を要求するためのＤＳＡ（動的サービス追加）要求メッセージを前記基地局に送信する段階と、前記ＤＳＡ要求メッセージに対する応答としてＤＳＡ応答メッセージを前記基地局から受信する段階とを含んでもよい。
【００４２】
前記基地局とＥ−ＭＢＳサービス接続設定を行う段階は、前記Ｅ−ＭＢＳサービス接続設定を要求するための非要求ＤＳＡ（動的サービス追加）要求メッセージを受信する段階と、前記非要求ＤＳＡ要求メッセージに対する応答としてＤＳＡ応答メッセージを前記基地局に送信する段階とを含んでもよい。
【００４３】
前記第１メッセージは、Ｅ−ＭＢＳ報告メッセージ（ＡＡＩ＿Ｅ−ＭＢＳ−ＲＥＰメッセージ）であってもよい。
【００４４】
前記第２メッセージは、Ｅ−ＭＢＳ応答メッセージ（ＡＡＩ＿Ｅ−ＭＢＳ−ＲＳＰメッセージ）であってもよい。
【００４５】
本明細書は、マルチキャリアシステムにおいてＥ−ＭＢＳサービスを受信するための端末であって、前記端末が基地局と接続設定を行って前記基地局からＥ−ＭＢＳサービスを受信する際に、キャリアスイッチング動作開始時間が割り当てられるように前記端末が前記基地局に要求することを示す報告モード情報を含む第１メッセージを前記基地局に送信する送信部と、前記端末が要求した前記キャリアスイッチング動作開始時間情報を含む第２メッセージを前記基地局から受信する受信部と、前記受信したキャリアスイッチング動作開始時間情報に基づいてキャリアスイッチング動作を開始するように制御する制御部とを含むことを特徴とする端末を提供する。
【００４６】
前記制御部は、前記端末が前記Ｅ−ＭＢＳサービスを終了する際に、前記端末が前記キャリアスイッチング動作を終了することを示す報告モード情報を含む第１メッセージを前記基地局に送信するように前記送信部を制御し、前記第１メッセージに対する応答として第２メッセージを前記基地局から受信するように前記受信部を制御し、前記端末が前記第２メッセージを受信すると、前記キャリアスイッチング動作を中断するように制御してもよい。
【００４７】
前記制御部は、前記端末が前記キャリアスイッチング動作を中断してから、前記キャリアスイッチング動作を再開するまで、前記主キャリアで前記基地局からユニキャストサービスを受信するように前記受信部を制御してもよい。
【００４８】
前記制御部は、前記端末がキャリアスイッチング動作を開始する前は、前記主キャリアで前記基地局からユニキャストサービスを受信するように前記受信部を制御してもよい。
【００４９】
前記第１メッセージは、Ｅ−ＭＢＳ報告メッセージ（ＡＡＩ＿Ｅ−ＭＢＳ−ＲＥＰメッセージ）であってもよい。
【００５０】
前記第２メッセージは、Ｅ−ＭＢＳ応答メッセージ（ＡＡＩ＿Ｅ−ＭＢＳ−ＲＳＰメッセージ）であってもよい。
【発明の効果】
【００５１】
本明細書により、キャリアスイッチングモードの端末がＥ−ＭＢＳサービスを受信しない場合はキャリアスイッチングモードを終了するので、基地局が端末のユニキャストスケジューリングを効率的に提供することができ、また、端末は不要なキャリアスイッチング動作を行わなくてもよいので、電力を節約できる。
【図面の簡単な説明】
【００５２】
【図１Ａ】（ａ）及び（ｂ）はマルチバンド無線周波数ベースの信号送受信方法を示す図である。
【図１Ｂ】（ａ）及び（ｂ）はマルチバンド無線周波数ベースの信号送受信方法を示す図である。
【図２】端末の加入情報に基づいて行われるキャリアスイッチング動作を示すフローチャートである。
【図３】Ｅ−ＭＢＳを受信するか否かに応じて端末がキャリアスイッチングモードを行うことを示すフローチャートである。
【図４】本発明の一実施形態による、端末のＥ−ＭＢＳサービス受信の開始時に端末がキャリアスイッチングモードを開始する手順を示すフローチャートである。
【図５】本発明の一実施形態による、端末がＥ−ＭＢＳサービス受信を終了する場合に端末がキャリアスイッチングモードを終了して主キャリアに留まる手順を示すフローチャートである。
【図６】本発明の一実施形態による端末の内部ブロック図である。
【発明を実施するための形態】
【００５３】
以下、本明細書の実施形態について添付図面を参照して詳細に説明する。下記の説明では本明細書による動作を理解する上で必要な部分についてのみ説明されており、それ以外の部分についての説明は本発明の要旨を不明瞭にしないように省略されることを理解すべきである。
【００５４】
以下の実施形態は構成要素や特徴が所定の形態に組み合わせられたものである。各構成要素又は特徴は、特に断らない限り選択的なものであると考慮されるべきである。各構成要素又は特徴は、他の構成要素又は特徴と組み合わせられない形態で実施することができる。また、一部の構成要素及び／又は特徴を組み合わせて本発明の実施形態を構成することもできる。本発明の実施形態において、説明される動作の順序は変更することができる。一実施形態の一部の構成又は特徴は、他の実施形態に含まれてもよく、他の実施形態の対応する構成又は特徴で代替されてもよい。
【００５５】
本明細書における実施形態は、基地局と端末間のデータ送受信関係に基づいて説明されている。ここで、基地局とは、端末と直接通信を行うネットワークの終端ノードを示すものである。本明細書において基地局により行われると説明されている特定動作は、場合によっては基地局の上位ノードにより行われる。
【００５６】
すなわち、基地局を含む複数のネットワークノードからなるネットワークにおいて、端末との通信のために行われる様々な動作は基地局又は基地局以外の他のネットワークノードにより実行されることは自明である。「基地局」は、固定局、Ｎｏｄｅ  Ｂ、ｅＮｏｄｅ  Ｂ（ｅＮＢ）、アクセスポイントなどの他の用語で代替することができる。また、「端末」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの他の用語で代替することができる。
【００５７】
本発明の実施形態は様々な手段で実現することができる。例えば、本発明の実施形態はハードウェア、ファームウェア、ソフトウェア又はそれらの組み合わせなどにより実現することができる。
【００５８】
ハードウェアによる実現の場合、本発明の実施形態による方法は、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｏｒｓ）、ＤＳＰＤ（Ｄｉｇｉｔａｌ  Ｓｉｇｎａｌ  Ｐｒｏｃｅｓｓｉｎｇ  Ｄｅｖｉｃｅｓ）、ＰＬＤ（Ｐｒｏｇｒａｍｍａｂｌｅ  Ｌｏｇｉｃ  Ｄｅｖｉｃｅｓ）、ＦＰＧＡ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどにより実現することができる。
【００５９】
ファームウェアやソフトウェアによる実現の場合、本発明の実施形態による方法は、上記機能又は動作を行うモジュール、手順、関数などの形態で実現することができる。ソフトウェアコードをメモリユニットに保存しておき、プロセッサにより駆動してもよい。前記メモリユニットは、前記プロセッサの内部又は外部に位置し、既に公知となっている様々な手段により前記プロセッサとデータをやり取りすることができる。
【００６０】
以下の説明で使用される特定用語は本明細書の理解を助けるためのものであり、これらの特定用語の使用は本発明の技術的思想を逸脱しない範囲で他の形態に変更することができる。
【００６１】
以下、端末がＥ−ＭＢＳサービスを受信するか否かに基づいてキャリアスイッチングモードを行う方法について具体的に説明する。
【００６２】
まず、キャリアスイッチングモードは、端末がキャリアスイッチング動作を行う区間であり、端末が基地局にＥ−ＭＢＳサービス受信の開始、終了を報告することによりキャリアスイッチングモードを開始又は終了することができる。
【００６３】
また、前記キャリアスイッチングモードとは、端末が主キャリアと副キャリア（Ｅ−ＭＢＳキャリア）のキャリアスイッチング動作を行うことを意味し、すなわち、端末が加入しているＥ−ＭＢＳサービス区間では副キャリアでＥ−ＭＢＳバーストを受信し、端末が加入していないＥ−ＭＢＳサービス区間では主キャリアで割り当てられたユニキャストサービスを受信する。
【００６４】
ＤＳＡ過程によるキャリアスイッチング動作（Ｅ−ＭＢＳサービス受信）
端末は基地局とＥ−ＭＢＳサービス接続設定を行うためのＤＳＡ動作を行う（Ｓ３０１）。ここで、端末は、基地局とＤＳＡ動作を行うことにより、Ｅ−ＭＢＳサービス接続及び受信に必要な情報を交換することができる。
【００６５】
すなわち、端末はＥ−ＭＢＳサービス接続設定を行うために、前記基地局にＤＳＡ−ＲＥＱメッセージを送信する。ここで、前記ＤＳＡ−ＲＥＱメッセージは、Ｅ−ＭＢＳ接続設定のために基地局が端末に送信してもよい。一般に、基地局が端末に非要求ＤＳＡ−ＲＥＱを送信することにより、前記端末とＥ−ＭＢＳサービス接続設定を行う。
【００６６】
次に、Ｅ−ＭＢＳサービス接続設定を開始するために、端末がＤＳＡ−ＲＥＱメッセージを基地局に送信すると、基地局は端末のＥ−ＭＢＳサービス接続要求に対する応答として前記端末にＤＳＡ−ＲＳＰメッセージを送信する。ここで、基地局が非要求ＤＳＡ−ＲＥＱメッセージを前記端末に送信した場合は、端末がＥ−ＭＢＳサービス接続要求に対する応答として前記基地局にＤＳＡ−ＲＳＰメッセージを送信する。
【００６７】
また、端末が受信する前記ＤＳＡ−ＲＳＰメッセージ又は非要求ＤＳＡ−ＲＥＱメッセージには、キャリアスイッチングモード情報が含まれる。前記キャリアスイッチングモード情報は、ＤＳＡメッセージに含まれるユニキャスト利用可能区間情報によるキャリアスイッチング動作、又はＥ−ＭＢＳ−ＲＥＰメッセージを使用するパラメータによるキャリアスイッチング動作を示すことができる。
【００６８】
端末と基地局は、前記ＤＳＡ過程中に、前記ＤＳＡ−ＲＥＱメッセージや前記ＤＳＡ−ＲＳＰメッセージ以外に、ＤＳＡ過程に必要なメッセージ（例えば、ＤＳＡ−ＡＣＫ）を送信又は受信することもできる。
【００６９】
端末は、基地局とのＤＳＡ過程により、基地局からＥ−ＭＢＳサービスを受信できる状態となる。
【００７０】
すなわち、Ｅ−ＭＢＳサービスに加入している端末が基地局と接続モードにある場合（Ｓ３０２）、端末はキャリアスイッチング動作を行うことにより基地局からＥ−ＭＢＳサービスを受信することができる。
【００７１】
以下、接続モード状態にある端末がＥ−ＭＢＳ−ＲＥＰ／ＲＳＰメッセージによりキャリアスイッチングモードを行う過程について具体的に説明する。
【００７２】
端末は、報告モード情報を含むＥ−ＭＢＳ報告メッセージ（ＡＡＩ＿Ｅ−ＭＢＳ−ＲＥＰメッセージ）を基地局に送信する（Ｓ３０３）。前記報告モード情報は、端末がＥ−ＭＢＳサービスを開始、変更又は終了することを示す情報に該当する。また、前記Ｅ−ＭＢＳ報告メッセージは、ＭＡＣコントロールメッセージに該当する。
【００７３】
すなわち、端末は、前記Ｅ−ＭＢＳ報告メッセージにより、端末のＥ−ＭＢＳサービスの開始や、Ｅ−ＭＢＳサービスの変更や、Ｅ−ＭＢＳサービスの終了を基地局に通知する。
【００７４】
表１はＡＡＩ＿Ｅ−ＭＢＳ−ＲＥＰメッセージフォーマットの一例を示す表である。
【００７５】
【表１】
2013515428.tif 000003
表１に示すように、一例として、端末が送信するＥ−ＭＢＳ−ＲＥＰメッセージに含まれる報告モードが「０ｂ００」に設定されている場合、それは端末がＥ−ＭＢＳサービス受信を開始することを示す。従って、基地局は、報告モードが「０ｂ００」に設定されたＥ−ＭＢＳ報告メッセージを受信すると、端末がＥ−ＭＢＳサービス受信を開始することが分かる。
【００７６】
すなわち、前記Ｅ−ＭＢＳ−ＲＥＰメッセージは、キャリアスイッチングモードを行うために、基地局からキャリアスイッチング開始時間が割り当てられるように端末が要求することを示す。
【００７７】
従って、基地局は、端末がキャリアスイッチング（Ｅ−ＭＢＳサービス受信）を開始すると判断し、キャリアスイッチング開始時間が端末に割り当てられるように、キャリアスイッチング開始時間情報が含まれるＥ−ＭＢＳ−ＲＳＰメッセージを前記端末に送信する。
【００７８】
ここで、キャリアスイッチング開始時間情報は、端末が副キャリア（Ｅ−ＭＢＳキャリア）でＥ−ＭＢＳサービスを受信するためにキャリアを切り替えるスーパーフレーム番号の４ＬＳＢｓを示す。
【００７９】
また、前記報告モードが「０ｂ１０」に設定されている場合、それは端末がＥ−ＭＢＳサービス受信を終了することを示す。
【００８０】
従って、基地局は、報告モードが「０ｂ１０」に設定されたＥ−ＭＢＳ報告メッセージを端末から受信すると、端末がキャリアスイッチング（Ｅ−ＭＢＳサービス受信）モードを終了したと判断し、これに対する応答としてＥ−ＭＢＳ−ＲＳＰメッセージを端末に送信する。
【００８１】
次に、端末は、前記Ｅ−ＭＢＳ−ＲＥＰメッセージに対する応答としてＥ−ＭＢＳ応答メッセージ（ＡＡＩ＿Ｅ−ＭＢＳ−ＲＳＰメッセージ）を基地局から受信する（Ｓ３０４）。前述したように、Ｅ−ＭＢＳサービス受信を開始することを通知するＥ−ＭＢＳ−ＲＥＰメッセージを基地局に送信する場合は、基地局から送信される前記Ｅ−ＭＢＳ応答メッセージにキャリアスイッチング開始時間情報が含まれる。
【００８２】
また、前記Ｅ−ＭＢＳ応答メッセージは報告モード情報を含むことができる。これは、端末にＥ−ＭＢＳサービスの開始、変更、終了を通知するために基地局から送信されるものである。
【００８３】
すなわち、端末が前記報告モード情報を含むＥ−ＭＢＳ応答メッセージを基地局から受信すると、端末は前記報告モード情報に応じてキャリアスイッチングモードを開始又は終了することができ、Ｅ−ＭＢＳサービス接続情報を変更（アップデート）することができる。
【００８４】
基地局は、端末がＥ−ＭＢＳサービスを受信していれば、端末のキャリアスイッチング動作に基づいてユニキャストリソースを主キャリアに割り当てる。端末がＥ−ＭＢＳサービスの受信を終了すると、端末のキャリアスイッチング動作は行われず、基地局は、端末がキャリアスイッチングを開始するまで、主キャリアでユニキャストリソースを端末に割り当てる。
【００８５】
表２はＡＡＩ＿Ｅ−ＭＢＳ−ＲＳＰメッセージフォーマットの一例を示す表である。
【００８６】
【表２】
2013515428.tif 000004
表２に示すように、端末から受信されたＥ−ＭＢＳ−ＲＥＰメッセージが端末のＥ−ＭＢＳサービス受信の開始を通知する場合、前記ＡＡＩ＿Ｅ−ＭＢＳ−ＲＳＰメッセージ内にはキャリアスイッチング開始時間フィールドが含まれる。
【００８７】
表３は報告モード情報を含むＡＡＩ＿Ｅ−ＭＢＳ−ＲＳＰメッセージフォーマットの他の例を示す表である。
【００８８】
【表３】
2013515428.tif 000005
表３に示すように、基地局が送信するＡＡＩ＿Ｅ−ＭＢＳ−ＲＳＰメッセージに端末のＥ−ＭＢＳサービスの開始、変更又は終了を示す報告モードフィールドが含まれることが分かる。
【００８９】
次に、端末は、Ｅ−ＭＢＳサービスを受信するか否かに基づいて、キャリアスイッチングモードを開始するか、現在動作しているキャリアスイッチングモードを終了する（Ｓ３０５）。
【００９０】
すなわち、端末は、Ｅ−ＭＢＳサービスの受信を開始する際に、Ｅ−ＭＢＳサービスが開始することを基地局に通知してから、Ｅ−ＭＢＳサービス受信とキャリアスイッチング動作を開始する。つまり、キャリアスイッチングモードの端末は、キャリアスイッチング動作の開始を基地局に通知する。
【００９１】
また、端末は、Ｅ−ＭＢＳサービス受信が終了すると、それを基地局に通知し、キャリアスイッチング動作を終了する。すなわち、キャリアスイッチングモードの端末は、キャリアスイッチング動作を終了することを基地局に通知する。
【００９２】
すなわち、端末がＥ−ＭＢＳサービスを受信する場合にのみキャリアスイッチングモードで動作し、Ｅ−ＭＢＳサービスの受信を終了すると主キャリアに切り替え、Ｅ−ＭＢＳサービスを受信するまで主キャリアに留まる。端末は、主キャリアに留まっている間、基地局からユニキャストサービスを受信することができる。
【００９３】
Ｅ−ＭＢＳ−ＲＥＰ／ＲＳＰメッセージ以外の方法によるＥ−ＭＢＳサービス受信の開始／終了報告
まず、端末は、上位層からＥ−ＭＢＳサービス受信開始の命令を受信することにより、キャリアスイッチング動作を行ってＥ−ＭＢＳサービスを受信することができる。
【００９４】
端末が現在Ｅ−ＭＢＳサービスの受信を開始していない場合（すなわち、Ｅ−ＭＢＳサービスオフ状態の場合）、端末は上位層からのＥ−ＭＢＳサービス受信開始の命令を待つ。端末が上位層からＥ−ＭＢＳサービス受信開始の命令を受信すると、端末は基地局にＥ−ＭＢＳサービス受信信号を送信してＥ−ＭＢＳサービス受信の開始を通知する。ここで、端末は、Ｅ−ＭＢＳサービス受信の開始を通知するために、ＭＡＣコントロールメッセージだけでなく、アップリンク制御チャネル（ＵＬ  ｃｏｎｔｒｏｌ  ｃｈａｎｎｅｌ）やＭＡＣ拡張ヘッダ（ＭＡＣ  Ｅｘｔｅｎｄｅｄ  Ｈｅａｄｅｒ）などを使用することもできる。
【００９５】
基地局は、端末から前記Ｅ−ＭＢＳサービス受信信号を受信すると、前記Ｅ−ＭＢＳサービス受信信号に対する応答信号を前記端末に送信する。
【００９６】
端末は、前記応答信号を基地局から受信すると、主キャリアと副キャリアのキャリアスイッチング動作を開始する。前記副キャリアとは、Ｅ−ＭＢＳサービスが送信されるキャリアを意味する。
【００９７】
また、端末が現在Ｅ−ＭＢＳサービスを受信している場合（すなわち、Ｅ−ＭＢＳサービスオン状態の場合）、端末が上位層からＥ−ＭＢＳサービス受信終了の命令を受信すると、端末は基地局にＥ−ＭＢＳサービス受信終了信号を送信する。ここで、前記Ｅ−ＭＢＳサービス受信終了信号は、ＭＡＣコントロールメッセージだけでなく、アップリンク制御チャネルやＭＡＣ拡張ヘッダなどを使用することにより、基地局に送信することができる。
【００９８】
基地局は、前記端末からＥ−ＭＢＳサービス受信終了信号を受信すると、主キャリアと副キャリアのキャリアスイッチング動作を行わずに主キャリアに留まる。
【００９９】
図４は本発明の一実施形態による、端末のＥ−ＭＢＳサービス受信の開始時に端末がキャリアスイッチングモードを開始する手順を示すフローチャートである。
【０１００】
まず、端末は、ＤＳｘ手順により基地局とのＥ−ＭＢＳサービス接続を行う（Ｓ４０１）。ここで、端末と基地局は、Ｅ−ＭＢＳサービス接続を行うために、ＤＳＡ−ＲＥＱ／ＤＳＡ−ＲＳＰメッセージを送受信することができる。また、前記ＤＳＡ−ＲＥＱ／ＤＳＡ−ＲＳＰメッセージ以外の他のメッセージを送受信することもできる。
【０１０１】
キャリアスイッチングモードの端末が基地局との接続モード状態にある場合も（Ｓ４０２）、Ｅ−ＭＢＳサービスを受信するまで、端末はキャリアスイッチング動作を行わない。すなわち、端末は、主キャリアで基地局からユニキャストサービスを受信することができる。
【０１０２】
端末がＥ−ＭＢＳサービス受信を開始する場合（Ｓ４０３）、端末はキャリアスイッチング開始時間情報の割り当てを要求するために、すなわちＥ−ＭＢＳサービス受信の開始を通知するために、Ｅ−ＭＢＳ−ＲＥＰメッセージを基地局に送信する（Ｓ４０４）。
【０１０３】
前記Ｅ−ＭＢＳ−ＲＥＰメッセージを受信した基地局は、端末がＥ−ＭＢＳサービスを受信すると判断し、キャリアスイッチング開始時間情報を含むＥ−ＭＢＳ−ＲＳＰメッセージを端末に送信する（Ｓ４０５）。
【０１０４】
端末は、キャリアスイッチング開始時間情報が示す時点でキャリアスイッチング動作を行う（Ｓ４０６）。
【０１０５】
すなわち、端末は、副キャリアでＥ−ＭＢＳサービスを受信し、加入していないＥ−ＭＢＳサービス受信区間では主キャリアに切り替え、基地局からユニキャストサービスを受信する。同様に、端末は、加入していないＥ−ＭＢＳサービス区間では主キャリアで基地局からユニキャストサービスを受信し、端末が加入しているＥ−ＭＢＳサービス受信区間では副キャリアに切り替えてＥ−ＭＢＳサービスを受信する。
【０１０６】
図５は本発明の一実施形態による、端末がＥ−ＭＢＳサービス受信を終了する場合に端末がキャリアスイッチングモードを終了して主キャリアに留まる手順を示すフローチャートである。
【０１０７】
ステップＳ５０１〜Ｓ５０６はステップＳ４０１〜Ｓ４０６と同様であるので、異なる部分についてのみ以下に説明する。
【０１０８】
端末がＥ−ＭＢＳサービス受信を終了する場合（Ｓ５０７）、端末はＥ−ＭＢＳキャリアスイッチングの終了を通知するために、Ｅ−ＭＢＳ−ＲＥＰメッセージを基地局に送信する（Ｓ５０８）。
【０１０９】
すなわち、端末は、基地局とのＡＡＩ＿ＤＳＡ−ＲＥＱ／ＲＳＰ過程により割り当てられたＥ−ＭＢＳ接続を解除せず、Ｅ−ＭＢＳキャリアスイッチングを中断する時点を通知するために、基地局にＥ−ＭＢＳ−ＲＥＰメッセージを送信する。
【０１１０】
前記Ｅ−ＭＢＳ−ＲＥＰメッセージを受信した基地局は、これに対する応答としてＥ−ＭＢＳ−ＲＳＰメッセージを端末に送信する（Ｓ５０９）。
【０１１１】
端末が前記基地局からＥ−ＭＢＳ−ＲＳＰメッセージを受信すると、端末はキャリアスイッチングモードを終了して主キャリアに留まる（Ｓ５１０）。
【０１１２】
すなわち、端末は、キャリアスイッチングモードの終了以降は、主キャリアで基地局からユニキャストサービスを受信することができる。
【０１１３】
図６は本発明の一実施形態による端末の内部ブロック図である。
【０１１４】
まず、端末６００は、送信部６１０と、受信部６２０と、制御部６３０とから構成される。
【０１１５】
送信部６１０は、Ｅ−ＭＢＳサービス受信の開始、変更又は終了を示す報告モード情報を含む第１メッセージを前記基地局に送信する。ここで、前記第１メッセージは、ＭＡＣコントロールメッセージでもよく、Ｅ−ＭＢＳ報告メッセージ（例えば、ＡＡＩ＿Ｅ−ＭＢＳ−ＲＥＰメッセージ）でもよい。また、前記第１メッセージはヘッダ形態でもよい。また、前記第１メッセージは、アップリンク制御チャネル又はＭＡＣ拡張ヘッダでもよい。
【０１１６】
また、前記報告モード情報は、キャリアスイッチング開始時間が基地局から割り当てられるように要求する情報や、Ｅ−ＭＢＳサービス受信のためのキャリアスイッチングの終了を示す情報を示す。
【０１１７】
受信部６２０は、前記第１メッセージに対する応答を示す第２メッセージを前記基地局から受信する。ここで、前記第２メッセージは、ＭＡＣコントロールメッセージでもよく、Ｅ−ＭＢＳ応答メッセージ（ＡＡＩ＿Ｅ−ＭＢＳ−ＲＳＰメッセージ）でもよい。また、前記第２メッセージはヘッダ形態でもよい。
【０１１８】
制御部６３０は、前記基地局とのＥ−ＭＢＳサービス接続モード状態で、Ｅ−ＭＢＳサービスを受信するか否かに応じて、主キャリアと副キャリアのキャリアスイッチング動作を行うキャリアスイッチングモードを開始又は終了するように構成される。
【０１１９】
ここで、前記キャリアスイッチングモードとは、端末が主キャリアと副キャリア（Ｅ−ＭＢＳキャリア）のキャリアスイッチング動作を行うことを意味し、すなわち、端末が加入しているＥ−ＭＢＳサービス区間では副キャリアでＥ−ＭＢＳバーストを受信し、端末が加入していないＥ−ＭＢＳサービス区間では主キャリアで割り当てられたユニキャストサービスを受信する。
【０１２０】
また、制御部６３０は、Ｅ−ＭＢＳサービス受信を開始又は終了する際に、前記第１メッセージを生成して前記基地局に送信するように送信部６１０を制御する。
【０１２１】
さらに、制御部６３０は、前記キャリアスイッチングモードが開始する前又は終了した後は、主キャリアでユニキャストサービスを前記基地局から受信するように受信部６２０を制御する。
【図１Ａ】
2013515428.tif 000006
【図１Ｂ】
2013515428.tif 000007
【図２】
2013515428.tif 000008
【図３】
2013515428.tif 000009
【図４】
2013515428.tif 000010
【図５】
2013515428.tif 000011
【図６】
2013515428.tif 000012
【手続補正書】
【提出日】平成24年6月20日(2012.6.20)
【手続補正１】
【補正対象書類名】特許請求の範囲
【補正対象項目名】全文
【補正方法】変更
【補正の内容】
【特許請求の範囲】
【請求項１】
マルチキャリアシステムにおいてＥ−ＭＢＳ（Ｅｎｈａｎｃｅｄ−Ｍｕｌｔｉｃａｓｔ  ａｎｄ  Ｂｒｏａｄｃａｓｔ  Ｓｅｒｖｉｃｅ）サービスを受信するための端末の動作方法であって、
基地局とＥ−ＭＢＳサービス接続設定を行う段階と、
前記端末が前記Ｅ−ＭＢＳサービス受信を開始又は中断することを示す報告モード情報を含む第１メッセージを前記基地局に送信する段階と、
前記第１メッセージに対する応答として第２メッセージを前記基地局から受信する段階と、
前記Ｅ−ＭＢＳサービス受信を開始する場合はキャリアスイッチング動作を開始し、前記Ｅ−ＭＢＳサービスを終了する場合は前記キャリアスイッチング動作を中断する段階と
を含むことを特徴とする方法。
【請求項２】
前記キャリアスイッチング動作は、Ｅ−ＭＢＳデータを受信するために副キャリアに切り替え、前記Ｅ−ＭＢＳデータを受信してから主キャリアに切り替えることを特徴とする請求項１に記載の方法。
【請求項３】
前記報告モード情報は、キャリアスイッチング動作開始時間が割り当てられるように前記端末が前記基地局に要求することや、前記端末が前記キャリアスイッチングを終了することを示すことを特徴とする請求項１に記載の方法。
【請求項４】
前記キャリアスイッチング動作開始時間は、前記端末がキャリアスイッチング動作を開始するスーパーフレーム番号の４ＬＳＢｓ（Ｌｅａｓｔ  Ｓｉｇｎｉｆｉｃａｎｔ  Ｂｉｔｓ）であることを特徴とする請求項３に記載の方法。
【請求項５】
前記端末が前記キャリアスイッチング動作を中断してから、キャリアスイッチング動作を再開するまで、前記端末は前記主キャリアに留まることを特徴とする請求項１に記載の方法。
【請求項６】
前記端末がキャリアスイッチング動作を開始する前は、前記基地局から前記主キャリアでユニキャストサービスを受信する段階をさらに含むことを特徴とする請求項１に記載の方法。
【請求項７】
前記基地局とＥ−ＭＢＳサービス接続設定を行う段階は、
前記Ｅ−ＭＢＳサービス接続設定を要求するためのＤＳＡ（動的サービス追加）要求メッセージを前記基地局に送信する段階と、
前記ＤＳＡ要求メッセージに対する応答としてＤＳＡ応答メッセージを前記基地局から受信する段階と
を含むことを特徴とする請求項１に記載の方法。
【請求項８】
前記基地局とＥ−ＭＢＳサービス接続設定を行う段階は、
前記Ｅ−ＭＢＳサービス接続設定を要求するための非要求ＤＳＡ（動的サービス追加）要求メッセージを受信する段階と、
前記非要求ＤＳＡ要求メッセージに対する応答としてＤＳＡ応答メッセージを前記基地局に送信する段階と
を含むことを特徴とする請求項１に記載の方法。
【請求項９】
前記第１メッセージは、Ｅ−ＭＢＳ報告メッセージ、アップリンク制御チャネル又はＭＡＣ拡張ヘッダのいずれか１つであることを特徴とする請求項１に記載の方法。
【請求項１０】
前記第２メッセージは、Ｅ−ＭＢＳ応答メッセージであることを特徴とする請求項１に記載の方法。
【請求項１１】
マルチキャリアシステムにおいてＥ−ＭＢＳサービスを受信するための端末であって、
前記端末が前記Ｅ−ＭＢＳサービス受信を開始又は中断することを示す報告モード情報を含む第１メッセージを前記基地局に送信する送信部と、
前記第１メッセージに対する応答として第２メッセージを前記基地局から受信する受信部と、
前記Ｅ−ＭＢＳサービス受信を開始する場合はキャリアスイッチング動作を開始し、前記Ｅ−ＭＢＳサービスを終了する場合は前記キャリアスイッチング動作を中断するように制御する制御部と
を含むことを特徴とする端末。
【請求項１２】
前記キャリアスイッチング動作は、Ｅ−ＭＢＳデータを受信するために副キャリアに切り替え、前記Ｅ−ＭＢＳデータを受信してから主キャリアに切り替えることを特徴とする請求項１１に記載の端末。
【請求項１３】
前記報告モード情報は、キャリアスイッチング動作開始時間が割り当てられるように前記端末が前記基地局に要求することや、前記端末が前記キャリアスイッチングを終了することを示すことを特徴とする請求項１１に記載の端末。
【請求項１４】
前記キャリアスイッチング動作開始時間は、前記端末がキャリアスイッチング動作を開始するスーパーフレーム番号の４ＬＳＢｓ（Ｌｅａｓｔ  Ｓｉｇｎｉｆｉｃａｎｔ  Ｂｉｔｓ）であることを特徴とする請求項１３に記載の端末。
【請求項１５】
前記制御部は、前記端末が前記キャリアスイッチング動作を中断してから、前記キャリアスイッチング動作を再開するまで、前記主キャリアで前記基地局からユニキャストサービスを受信するように前記受信部を制御することを特徴とする請求項１１に記載の端末。
【請求項１６】
前記制御部は、前記端末がキャリアスイッチング動作を開始する前は、前記主キャリアで前記基地局からユニキャストサービスを受信するように前記受信部を制御することを特徴とする請求項１１に記載の端末。
【請求項１７】
前記第１メッセージは、Ｅ−ＭＢＳ報告メッセージ、アップリンク制御チャネル又はＭＡＣ拡張ヘッダのいずれか１つであることを特徴とする請求項１１に記載の端末。
【請求項１８】
前記第２メッセージは、Ｅ−ＭＢＳ応答メッセージであることを特徴とする請求項１１に記載の端末。
【手続補正２】
【補正対象書類名】明細書
【補正対象項目名】００４４
【補正方法】変更
【補正の内容】
【００４４】
前記第２メッセージは、Ｅ−ＭＢＳ応答メッセージ（ＡＡＩ＿Ｅ−ＭＢＳ−ＲＳＰメッセージ）であってもよい。
例えば、本発明は以下の項目を提供する。
（項目１）
マルチキャリアシステムにおいてＥ−ＭＢＳ（Ｅｎｈａｎｃｅｄ−Ｍｕｌｔｉｃａｓｔ  ａｎｄ  Ｂｒｏａｄｃａｓｔ  Ｓｅｒｖｉｃｅ）サービスを受信するための端末の動作方法であって、
基地局とＥ−ＭＢＳサービス接続設定を行う段階と、
キャリアスイッチング動作開始時間が割り当てられるように上記端末が上記基地局に要求することを示す報告モード情報を含む第１メッセージを上記基地局に送信する段階と、
上記端末が要求した上記キャリアスイッチング動作開始時間情報を含む第２メッセージを上記基地局から受信する段階と、
上記受信したキャリアスイッチング動作開始時間情報に基づいてキャリアスイッチング動作を開始する段階と
を含むことを特徴とする方法。
（項目２）
上記キャリアスイッチング動作は、上記端末が加入しているＥ−ＭＢＳサービス区間ではＥ−ＭＢＳデータを受信するために周期的に副キャリアに切り替え、加入していないＥ−ＭＢＳサービス区間ではユニキャストサービスを受信するために主キャリアに切り替えることを特徴とする項目１に記載の方法。
（項目３）
上記キャリアスイッチング動作開始時間情報は、上記端末がキャリアスイッチング動作を開始するスーパーフレーム番号の４ＬＳＢｓ（Ｌｅａｓｔ  Ｓｉｇｎｉｆｉｃａｎｔ  Ｂｉｔｓ）であることを特徴とする項目１に記載の方法。
（項目４）
上記端末が上記キャリアスイッチング動作を終了することを示す報告モード情報を含む第１メッセージを上記基地局に送信する段階と、
上記基地局から上記第１メッセージに対する応答として第２メッセージを受信する段階と、
上記端末が上記第２メッセージを受信すると、上記キャリアスイッチング動作を中断する段階と
をさらに含むことを特徴とする項目１に記載の方法。
（項目５）
上記端末が上記キャリアスイッチング動作を中断してから、キャリアスイッチング動作を再開するまで、上記端末は上記主キャリアに留まることを特徴とする項目４に記載の方法。
（項目６）
上記端末がキャリアスイッチング動作を開始する前は、上記基地局から上記主キャリアでユニキャストサービスを受信する段階をさらに含むことを特徴とする項目１に記載の方法。
（項目７）
上記基地局とＥ−ＭＢＳサービス接続設定を行う段階は、
上記Ｅ−ＭＢＳサービス接続設定を要求するためのＤＳＡ（動的サービス追加）要求メッセージを上記基地局に送信する段階と、
上記ＤＳＡ要求メッセージに対する応答としてＤＳＡ応答メッセージを上記基地局から受信する段階と
を含むことを特徴とする項目１に記載の方法。
（項目８）
上記基地局とＥ−ＭＢＳサービス接続設定を行う段階は、
上記Ｅ−ＭＢＳサービス接続設定を要求するための非要求ＤＳＡ（動的サービス追加）要求メッセージを受信する段階と、
上記非要求ＤＳＡ要求メッセージに対する応答としてＤＳＡ応答メッセージを上記基地局に送信する段階と
を含むことを特徴とする項目１に記載の方法。
（項目９）
上記第１メッセージは、Ｅ−ＭＢＳ報告メッセージ、アップリンク制御チャネル又はＭＡＣ拡張ヘッダのいずれか１つであることを特徴とする項目１又は４に記載の方法。
（項目１０）
上記第２メッセージは、Ｅ−ＭＢＳ応答メッセージであることを特徴とする項目１又は４に記載の方法。
（項目１１）
マルチキャリアシステムにおいてＥ−ＭＢＳサービスを受信するための端末であって、
上記端末が基地局と接続設定を行って上記基地局からＥ−ＭＢＳサービスを受信する際に、キャリアスイッチング動作開始時間が割り当てられるように上記端末が上記基地局に要求することを示す報告モード情報を含む第１メッセージを上記基地局に送信する送信部と、
上記端末が要求した上記キャリアスイッチング動作開始時間情報を含む第２メッセージを上記基地局から受信する受信部と、
上記受信したキャリアスイッチング動作開始時間情報に基づいてキャリアスイッチング動作を開始するように制御する制御部と
を含むことを特徴とする端末。
（項目１２）
上記キャリアスイッチング動作は、上記端末が加入しているＥ−ＭＢＳサービス区間ではＥ−ＭＢＳデータを受信するために周期的に副キャリアに切り替え、加入していないＥ−ＭＢＳサービス区間ではユニキャストサービスを受信するために主キャリアに切り替えることを特徴とする項目１１に記載の端末。
（項目１３）
上記キャリアスイッチング動作開始時間情報は、上記端末がキャリアスイッチング動作を開始するスーパーフレーム番号の４ＬＳＢｓであることを特徴とする項目１１に記載の端末。
（項目１４）
上記制御部は、上記端末が上記Ｅ−ＭＢＳサービスを終了する際に、上記端末が上記キャリアスイッチング動作を終了することを示す報告モード情報を含む第１メッセージを上記基地局に送信するように上記送信部を制御し、上記第１メッセージに対する応答として第２メッセージを上記基地局から受信するように上記受信部を制御し、上記端末が上記第２メッセージを受信すると、上記キャリアスイッチング動作を中断するように制御することを特徴とする項目１１に記載の端末。
（項目１５）
上記制御部は、上記端末が上記キャリアスイッチング動作を中断してから、上記キャリアスイッチング動作を再開するまで、上記主キャリアで上記基地局からユニキャストサービスを受信するように上記受信部を制御することを特徴とする項目１４に記載の端末。
（項目１６）
上記制御部は、上記端末がキャリアスイッチング動作を開始する前は、上記主キャリアで上記基地局からユニキャストサービスを受信するように上記受信部を制御することを特徴とする項目１１に記載の端末。
（項目１７）
上記第１メッセージは、Ｅ−ＭＢＳ報告メッセージ、アップリンク制御チャネル又はＭＡＣ拡張ヘッダのいずれか１つであることを特徴とする項目１１又は１４に記載の端末。
（項目１８）
上記第２メッセージは、Ｅ−ＭＢＳ応答メッセージであることを特徴とする項目１１又は１４に記載の端末。
【国際調査報告】
2013515428.tif 000013
2013515428.tif 000014